(57)【特許請求の範囲】
【請求項１】
複数の電子機器から排出される熱媒体を合流させて吸着式ヒートポンプに供給する吸着式ヒートポンプの制御方法であって、
制御部により、前記複数の電子機器を仮想化した後、前記制御部により稼動状態にする電子機器と停止状態にする電子機器とを決定する工程と、
前記制御部により、前記停止状態にする電子機器への前記熱媒体の供給を停止し、前記稼働状態にする複数の電子機器から排出される前記熱媒体の温度が同じになるように、前記稼働状態にする複数の電子機器に供給される前記熱媒体の流量を個別に調整する工程と
を有することを特徴とする吸着式ヒートポンプの制御方法。
【請求項２】
前記制御部は、前記複数の電子機器の各々の熱媒体入口側及び出口側の熱媒体温度の差から前記複数の電子機器の稼動率を個別に把握し、その結果に応じて前記稼動状態にする電子機器と前記停止状態にする電子機器とを決定することを特徴とする請求項１に記載の吸着式ヒートポンプの制御方法。
【請求項３】
前記吸着式ヒートポンプは、液体の冷媒を気体に替える蒸発器と、前記気体の冷媒を吸着する吸着剤が配置された第１の吸着器及び第２の吸着器とを有し、
前記制御部は、前記吸着式ヒートポンプに供給される前記熱媒体の温度が予め設定された目標温度になるたびに切替バルブを制御して、前記熱媒体を前記第１の吸着器及び前記第２の吸着器に交互に通流させることを特徴とする請求項１又は２に記載の吸着式ヒートポンプの制御方法。
【請求項４】
熱媒体を移送する移送ポンプと、
前記移送ポンプから移送された前記熱媒体の流路を分岐する分岐部と、
前記分岐部で分岐された流路が合流する合流部と、
前記分岐部と前記合流部との間にそれぞれ配置されて前記熱媒体が通流する熱媒体流路を備えた複数の電子機器と、
前記合流部で合流した熱媒体が供給される吸着式ヒートポンプと、
前記複数の電子機器に供給される前記熱媒体の流量を個別に調整可能な流量調整部と、
前記複数の電子機器から排出される前記熱媒体の温度を個別に検出する温度センサと、
前記複数の電子機器を仮想化した後、稼動状態にする電子機器と停止状態にする電子機器とを決定し、前記稼働状態にする電子機器に処理を分配するとともに、前記温度センサから信号を入力し、前記停止状態にする電子機器への前記熱媒体の供給を停止し、前記稼働状態にする複数の電子機器から排出される前記熱媒体の温度が同じになるように前記流量調整部を制御する制御部と
を有することを特徴とする情報処理システム。
【請求項５】
熱媒体を移送する移送ポンプと、
前記移送ポンプから移送された前記熱媒体の流路を分岐する分岐部と、
前記分岐部で分岐された流路が合流する合流部と、
前記分岐部と前記合流部との間にそれぞれ配置されて前記熱媒体が通流する熱媒体流路を備えた複数の電子機器と、
前記合流部で合流した熱媒体が供給される吸着式ヒートポンプと、
前記複数の電子機器に供給される前記熱媒体の流量を個別に調整可能な流量調整部と、
前記複数の電子機器から排出される前記熱媒体の温度を個別に検出する温度センサとを有する情報処理システムの制御装置であって、
前記複数の電子機器を仮想化した後、稼動状態にする電子機器と停止状態にする電子機器とを決定し、前記稼働状態にする電子機器に処理を分配するとともに、前記温度センサから信号を入力し、前記停止状態にする電子機器への前記熱媒体の供給を停止し、前記稼働状態にする複数の電子機器から排出される前記熱媒体の温度が同じになるように前記流量調整部を制御することを特徴とする制御装置。
【発明の詳細な説明】
【技術分野】
【０００１】
本発明は、吸着式ヒートポンプの制御方法、情報処理システム及び制御装置に関する。
【背景技術】
【０００２】
近年、高度情報化社会の到来にともなって計算機で多量のデータが扱われるようになり、データセンター等の施設において多数の計算機を同一室内に設置して一括管理することが多くなっている。例えば、データセンターでは、計算機室内に多数のラック（サーバラック）を設置し、各ラックにそれぞれ複数の計算機（サーバ）を収納している。そして、それらの計算機の稼動状態に応じて各計算機にジョブを有機的に配分し、大量のジョブを効率的に処理している。
【０００３】
計算機の稼動にともなって計算機から多量の熱が発生する。計算機内の温度が高くなると誤動作や故障の原因となるため、計算機を冷却することが重要になる。そのため、通常データセンターでは、計算機で発生した熱をファン（送風機）によりラックの外に排出するとともに、空調機（エアコン）を使用して室内の温度を調整している。
【０００４】
ところで、データセンターの全消費電力のうちの約４割が空調設備で消費されているといわれている。そこで、例えば計算機から排出される熱を吸着式ヒートポンプ（Adsorption Heat Pump:ＡＨＰ）で回収して再利用することが提案されている。
【先行技術文献】
【特許文献】
【０００５】
【特許文献１】特開平０１−２６９１１３号公報
【特許文献２】特開平０７−９４８８１号公報
【特許文献３】特開２００６−２９６０５号公報
【発明の概要】
【発明が解決しようとする課題】
【０００６】
吸着剤の再生に使用する熱を供給する熱源の温度変化が大きくても吸着式ヒートポンプを効率的に稼働できる吸着式ヒートポンプの制御方法、情報処理システム及び制御装置を提供することを目的とする。
【課題を解決するための手段】
【０００７】
開示の技術の一観点によれば、複数の電子機器から排出される熱媒体を合流させて吸着式ヒートポンプに供給する吸着式ヒートポンプの制御方法であって、制御部により、前記複数の電子機器を仮想化した後、前記制御部により稼動状態にする電子機器と停止状態にする電子機器とを決定する工程と、前記制御部により、前記停止状態にする電子機器への前記熱媒体の供給を停止し、前記稼働状態にする複数の電子機器から排出される前記熱媒体の温度が同じになるように、前記稼働状態にする複数の電子機器に供給される前記熱媒体の流量を個別に調整する工程とを有する吸着式ヒートポンプの制御方法が提供される。
【０００８】
開示の技術の他の一観点によれば、熱媒体を移送する移送ポンプと、前記移送ポンプから移送された前記熱媒体の流路を分岐する分岐部と、前記分岐部で分岐された流路が合流する合流部と、前記分岐部と前記合流部との間にそれぞれ配置されて前記熱媒体が通流する熱媒体流路を備えた複数の電子機器と、前記合流部で合流した熱媒体が供給される吸着式ヒートポンプと、前記複数の電子機器に供給される前記熱媒体の流量を個別に調整可能な流量調整部と、前記複数の電子機器から排出される前記熱媒体の温度を個別に検出する温度センサと、前記複数の電子機器を仮想化した後、稼動状態にする電子機器と停止状態にする電子機器とを決定し、前記稼働状態にする電子機器に処理を分配するとともに、前記温度センサから信号を入力し、前記停止状態にする電子機器への前記熱媒体の供給を停止し、前記稼働状態にする複数の電子機器から排出される前記熱媒体の温度が同じになるように前記流量調整部を制御する制御部とを有する情報処理システムが提供される。
【０００９】
開示の技術の更に他の一観点によれば、熱媒体を移送する移送ポンプと、前記移送ポンプから移送された前記熱媒体の流路を分岐する分岐部と、前記分岐部で分岐された流路が合流する合流部と、前記分岐部と前記合流部との間にそれぞれ配置されて前記熱媒体が通流する熱媒体流路を備えた複数の電子機器と、前記合流部で合流した熱媒体が供給される吸着式ヒートポンプと、前記複数の電子機器に供給される前記熱媒体の流量を個別に調整可能な流量調整部と、前記複数の電子機器から排出される前記熱媒体の温度を個別に検出する温度センサとを有する情報処理システムの制御装置であって、前記複数の電子機器を仮想化した後、稼動状態にする電子機器と停止状態にする電子機器とを決定し、前記稼働状態にする電子機器に処理を分配するとともに、前記温度センサから信号を入力し、前記停止状態にする電子機器への前記熱媒体の供給を停止し、前記稼働状態にする複数の電子機器から排出される前記熱媒体の温度が同じになるように前記流量調整部を制御する制御装置が提供される。
【発明の効果】
【００１０】
上記一観点によれは、吸着剤の再生に使用する熱を供給する熱源の温度変化が大きくても、吸着式ヒートポンプを効率的に稼働させることができる。
【図面の簡単な説明】
【００１１】
【図１】図１は、吸着式ヒートポンプの一例を表した模式図である。
【図２】図２は、実施形態に係る吸着式ヒートポンプの制御方法を説明する模式図である。
【図３】図３は、電子機器の入口側と出口側との熱媒体の温度差ΔＴと、ジャンクション温度Ｔｊとの関係を調べた結果を例示した図である。
【図４】図４は、制御部による最適化と処理の分散を説明するフローチャートである。
【図５】図５は、電子機器から排出される熱媒体の温度に応じて電子機器を通る冷却水の流量を調整する処理を説明するフローチャートである。
【図６】図６は、吸着器に供給される熱媒体（温水）の温度に応じて吸着工程と再生工程とを切替える処理を説明するフローチャートである。
【図７】図７は、吸着器の入口側及び出口側における熱媒体の温度の経時変化を表した図である。
【図８】図８は、実施形態に係る吸着式ヒートポンプの制御方法の概要を表した図である。
【図９】図９は、電子機器に流入する熱媒体の流量が同じ場合の問題点を説明する図である。
【図１０】図１０は、ＣＰＵのジャンクション温度が上限値に到達したときに吸着工程と再生工程とを切替える場合の問題点を説明する図である。
【図１１】図１１は、実験に用いた装置の概要を説明する図である。
【発明を実施するための形態】
【００１２】
以下、実施形態について説明する前に、実施形態の理解を容易にするための予備的事項について説明する。
【００１３】
図１は、吸着式ヒートポンプの一例を表した模式図である。
【００１４】
図１のように、吸着式ヒートポンプ１０は、蒸発器１１と、蒸発器１１の上方に配置された凝縮器１２と、蒸発器１１と凝縮器１２との間に並列に配置された吸着器１３ａ，１３ｂとを有する。吸着式ヒートポンプ１０内の空間は、例えば１／１００気圧程度に減圧されている。
【００１５】
蒸発器１１には、冷却水が通る冷却水コイル配管１１ａと、冷却水コイル配管１１ａに向けて液状の冷媒（例えば水）をスプレーするスプレーノズル（図示せず）とが設けられている。
【００１６】
吸着器１３ａ，１３ｂ内には、それぞれ伝熱配管１４と吸着剤（デシカント）１５とが設けられている。また、吸着器１３ａと蒸発器１１との間には開閉弁１６ａが配置されており、吸着器１３ｂと蒸発器１１との間には開閉弁１６ｂが配置されている。なお、吸着剤１５には、例えば活性炭、シリカゲル又はゼオライトなどが使用される。
【００１７】
凝縮器１２には、冷却水が通る冷却水コイル配管１２ａが設けられている。凝縮器１２と吸着器１３ａとの間には開閉弁１７ａが配置されており、凝縮器１２と吸着器１３ｂとの間には開閉弁１７ｂが配置されている。
【００１８】
以下、上述の吸着式ヒートポンプ１０の動作について説明する。
【００１９】
ここでは、初期状態において、蒸発器１１と吸着器１３ａとの間の開閉弁１６ａ及び吸着器１３ｂと凝縮器１２との間の開閉弁１７ｂがいずれも開状態であるとする。また、蒸発器１１と吸着器１３ｂとの間の開閉弁１６ｂ及び吸着器１３ａと凝縮器１２との間の開閉弁１７ａがいずれも閉状態であるとする。
【００２０】
更に、一方の吸着器１３ａの伝熱配管１４には冷却水が供給され、他方の吸着器１３ｂの伝熱配管１４には電子機器から排出された熱により温められた温水が供給されるものとする。更にまた、蒸発器１１内にスプレーする冷媒として、水を使用するものとする。
【００２１】
蒸発器１１の冷却水コイル配管１１ａに水（液状の冷媒）をスプレーすると、蒸発器１１内が減圧されているため、冷却水コイル配管１１ａの周囲で水が容易に蒸発して、冷却水コイル配管１１ａから潜熱を奪う。これにより、冷却水コイル配管１１ａ内を通る水の温度が下がり、冷却水コイル配管１１ａから低温の冷却水が排出される。この冷却水は、例えば室内の空調や電子機器又は電源等の冷却に使用される。
【００２２】
蒸発器１１で発生した水蒸気（気体状の冷媒）は、開状態の開閉弁１６ａを通って吸着器１３ａ内に入る。そして、伝熱配管１４内を通る冷却水により冷却されて液体に戻り、吸着器１３ａの吸着剤１５に吸着される。
【００２３】
一方の吸着器１３ａで吸着剤１５に冷媒（水蒸気）を吸着する吸着工程を実施している間、他方の吸着器１３ｂでは吸着剤１５を再生（乾燥）する再生工程を実施する。すなわち、吸着器１３ｂでは、吸着剤１５に吸着されていた冷媒（水）が伝熱配管１４内を通る温水により加熱されて気体（水蒸気）になり、吸着剤１５から離脱する。この吸着剤１５から離脱した冷媒は、開状態の開閉弁１７ｂを通って凝縮器１２内に入る。
【００２４】
凝縮器１２内の冷却水コイル配管１２ａには冷却水が供給される。この冷却水として、吸着器１３ａから排出される冷却水を使用してもよい。吸着器１３ｂから凝縮器１２内に進入した水蒸気（気体状の冷媒）は、冷却水コイル配管１２ａの周囲で凝縮して液体となる。この液体は、ポンプ（図示せず）により蒸発器１１に移送され、冷却水コイル配管１１ａに向けてスプレーされる。
【００２５】
吸着器１３ａ，１３ｂは、一定時間毎に吸着工程と再生工程とを実施する。すなわち、開閉弁１６ａ，１６ｂ，１７ａ，１７ｂは一定時間毎に開閉を繰り返し、吸着器１３ａ，１３ｂの各伝熱配管１４には一定時間毎に冷却水と温水とが交互に供給される。このようにして、吸着式ヒートポンプ１０が連続的に稼動する。
【００２６】
ところで、計算機等の電子機器を冷却した後の冷却水を温水として吸着器１３ａ，１３ｂに供給する場合、電子機器の稼動状態に応じて温水の温度が大きく変動する。このため、上述したように単に一定時間毎に吸着工程と再生工程とを切替える方式では、吸着剤１５が十分再生できないうちに吸着工程に移行したり、逆に吸着剤１５の再生が完了しているのに吸着工程に移行できないことがある。その結果、吸着式ヒートポンプ１０の稼働効率が低下する。
【００２７】
以下の実施形態では、温水（熱媒体）を供給する熱源の温度変化が大きくても効率的に稼動できる吸着式ヒートポンプの制御方法について説明する。
【００２８】
（実施形態）
図２は、実施形態に係る吸着式ヒートポンプの制御方法を説明する模式図である。なお、本実施形態においても、図１を参照して説明する。
【００２９】
吸着式ヒートポンプ１０は、図１のように、蒸発器１１と、凝縮器１２と、吸着器１３ａ，１３ｂとを有する。蒸発器１１には冷却水コイル配管１１ａが配置されており、凝縮器１２には冷却水コイル配管１２ａが配置されている。また、吸着器１３ａ，１３ｂには、それぞれ伝熱配管１４と吸着剤１５とが配置されている。
【００３０】
図２のように、吸着式ヒートポンプ１０の蒸発器１１の冷却水コイル配管１１ａは、蒸発器冷却水流路２１に接続されている。この蒸発器冷却水流路２１には、冷却水が貯留される冷却水貯留タンク３１と、冷却水貯留タンク３１と蒸発器１１との間で冷却水を循環させるポンプ３２とが設けられている。冷却水貯留タンク３１に貯留された冷却水は、例えば室内の空調や電子機器又は電源等の冷却に使用される。
【００３１】
凝縮器１２の冷却水コイル配管１２ａは、凝縮器冷却水流路２２に接続されている。この凝縮器冷却水流路２２には、冷却水の温度を所定温度に維持しつつ凝縮器１２との間で冷却水を循環させるチラーユニット３３が設けられている。
【００３２】
吸着器冷却水流路３４は、吸着器１３ａ，１３ｂに冷却水を供給する流路である。この吸着器冷却水流路３４には、冷却水の温度を一定に維持しつつ冷却水を移送するチラーユニット３５が設けられている。
【００３３】
また、吸着器冷却水流路３４には切替バルブ３６ａ，３６ｂが設けられている。これらの切替バルブ３６ａ，３６ｂは、制御部３０からの信号に応じて稼動し、冷却水が吸着器１３ａ，１３ｂのいずれか一方を通りチラーユニット３５に戻るように流路を切替える。
【００３４】
電子機器冷却水流路３７は、電子機器４１ａ，４１ｂ，４１ｃを冷却し、それにより温度が上昇した冷却水（温水）を吸着器１３ａ，１３ｂに供給する流路である。この電子機器冷却水流路３７には、ポンプ３８と、切替バルブ３９ａ，３９ｂとが設けられている。
【００３５】
以下、説明の便宜上、電子機器冷却水流路３７を通る冷却水を、熱媒体ともいう。なお、熱媒体として、水以外の液体を使用してもよい。
【００３６】
ポンプ３８から吐出された熱媒体は、分岐部４０ａで分岐されて複数（図２では３台）の電子機器４１ａ，４１ｂ，４１ｃ内を通り、各電子機器４１ａ，４１ｂ，４１ｃを冷却する。そして、電子機器４１ａ，４１ｂ，４１ｃを冷却することにより温度が上昇した熱媒体（温水）は、電子機器４１ａ，４１ｂ，４１ｃから排出されて合流部４０ｂで合流する。
【００３７】
本実施形態では、電子機器４１ａ，４１ｂ，４１ｃがいずれも計算機（情報処理装置）であるとする。また、本実施形態では、電子機器４１ａ，４１ｂ，４１ｃにそれぞれ１又は複数のＣＰＵ（Central Processing Unit）が搭載され、それらのＣＰＵにはいずれもコールドプレートが装着されていて、コールドプレート内を熱媒体が通るものとする。ＣＰＵは半導体部品の一例であり、他の半導体部品又はその他の電子部品を熱媒体で冷却するようにしてもよい。
【００３８】
切替バルブ３９ａ，３９ｂは、制御部３０からの信号に応じて稼動し、合流部４０ｂで合流した熱媒体が吸着器１３ａ，１３ｂのいずれか一方を通りポンプ３８に戻るように流路を切替える。
【００３９】
吸着器冷却水流路３４の切替バルブ３６ａ，３６ｂと電子機器冷却水流路３７の切替バルブ３９ａ，３９ｂとは排他的に駆動される。すなわち、吸着器１３ａが吸着器冷却水流路３４に接続されているときには吸着器１３ｂが電子機器冷却水流路３７に接続され、吸着器１３ｂが電子機器冷却水流路３７に接続されているときには吸着器１３ｂが吸着器冷却水流路３４に接続される。
【００４０】
なお、制御部３０は、切替バルブ３６ａ，３６ｂ，３９ａ，３９ｂの切替えと同時に、吸着式ヒートポンプ１０内の開閉弁１６ａ，１６ｂ，１７ａ，１７ｂの切替えも行う。
【００４１】
また、本実施形態では、凝縮器１２を通る冷却水をチラーユニット３３により冷却しているが、吸着工程を実施中の吸着器（吸着器１３ａ又は１３ｂ）から排出された冷却水が凝縮器１２を通りチラーユニット３５に戻るようにしてもよい。
【００４２】
電子機器４１ａ，４１ｂ，４１ｃの熱媒体入口側には、それぞれ温度センサ４２ａ，４２ｂ，４２ｃと、流量調整弁（比例制御弁）４３ａ，４３ｂ，４３ｃと、流量計４４ａ，４４ｂ，４４ｃとが設けられている。なお、流量調整弁４３ａ，４３ｂ，４３ｃに替えて、流量調整可能なポンプを配置してもよい。
【００４３】
温度センサ４２ａ，４２ｂ，４２ｃによる熱媒体の温度測定値、及び流量計４４ａ，４４ｂ，４４ｃによる熱媒体の流量測定値は制御部３０に伝達される。また、流量調整弁４３ａ，４３ｂ，４３ｃは制御部３０からの信号により開度が変化する。各電子機器４１ａ，４１ｂ，４１ｃには、流量調整弁４３ａ，４３ｂ，４３ｃの開度に応じた流量の熱媒体が通流する。
【００４４】
電子機器４１ａ，４１ｂ，４１ｃの熱媒体出口側には、それぞれ温度センサ４５ａ，４５ｂ，４５ｃが配置されている。これらの温度センサ４５ａ，４５ｂ，４５ｃによる温度測定値も、制御部３０に伝達される。
【００４５】
また、各電子機器４１ａ，４１ｂ，４１ｃ内のＣＰＵには、ジャンクション温度を検出する温度センサ４６ａ，４６ｂ，４６ｃが内蔵されており、それらの温度センサ４６ａ，４６ｂ，４６ｃによるジャンクション温度の測定値も制御部３０に伝達される。なお、ＣＰＵに内蔵された温度センサ４６ａ，４６ｂ，４６ｃに替えて、ＣＰＵの表面に温度センサを装着してもよい。
【００４６】
更に、本実施形態では、吸着器１３ａ，１３ｂの伝熱配管１４の入口部に、伝熱配管１４に供給される熱媒体の温度を検出する温度センサ４７ａ，４７ｂが設けられている。これらの温度センサ４７ａ，４７ｂによる温度測定値も、制御部３０に伝達される。
【００４７】
以下、ジャンクション温度の上限値及び目標温度について説明する。
【００４８】
ＣＰＵ等の半導体装置は稼働にともなって発熱し、ジャンクション温度が破壊温度を超えると故障してしまう。本実施形態では、破壊温度よりもある程度低い温度をジャンクション温度の上限値とし、ジャンクション温度が上限値を超えないように熱媒体の流量を調整することで、半導体装置の破損を防止する。ここでは、ジャンクション温度の上限値を７５℃とする。
【００４９】
一方、目標温度は、吸着式ヒートポンプ１０の吸着器１３ａ，１３ｂの吸着工程と再生工程とを切替える温度である。つまり、本実施形態では、吸着式ヒートポンプ１０に供給される熱媒体（温水）の温度が目標温度に到達したときに、吸着器１３ａ，１３ｂの吸着工程と再生工程とを切替える。目標温度は、吸着剤１５の種類に応じて設定する。ここでは、目標温度を５５℃とする。
【００５０】
以下、データベースについて説明する。
【００５１】
例えば、ＣＰＵの負荷率を一定にし、熱媒体の流量を変化させて、電子機器４１ａ，４１ｂ，４１ｃの入口側と出口側との熱媒体の温度差ΔＴと、ジャンクション温度Ｔｊとの関係を調べる。図３は、電子機器の入口側と出口側との熱媒体の温度差ΔＴと、ジャンクション温度Ｔｊとの関係を調べた結果を例示した図である。
【００５２】
図３では、電子機器として２個のＣＰＵ（ＣＰＵ１及びＣＰＵ２）を搭載するサーバ（富士通株式会社製RX300 R6）を使用し、それらのＣＰＵ１，ＣＰＵ２の負荷率を１００％としたときの値を示している。図３中のΔＴ欄において、ＣＰＵ１は熱媒体通流方向の上流側に配置されたＣＰＵの入口側と出口側の熱媒体の温度差であり、ＣＰＵ２は熱媒体通流方向の下流側に配置されたＣＰＵの入口側と出口側の熱媒体の温度差である。また、サーバは、ＣＰＵ１の入口側とＣＰＵ２の出口側の熱媒体の温度差である。
【００５３】
ＣＰＵの負荷率を１００％、熱媒体の流量を１．０Ｌ（リットル）／minとすると、時間の経過とともにＣＰＵのジャンクション温度Ｔｊは上昇するが、ある程度時間が経過するとジャンクション温度Ｔｊはほぼ一定となる。図３の例では、熱媒体の通流開始から約１３００秒後にＣＰＵのジャンクション温度Ｔｊはほぼ一定となり、そのときの電子機器（サーバ）の入口側及び出口側の熱媒体の温度差ΔＴは１．９℃、ジャンクション温度Ｔｊは約７５℃であった。また、このとき電子機器から排出される熱媒体の温度は５５℃であった。
【００５４】
一方、熱媒体の流量を０．７Ｌ／minとすると、ＣＰＵ２のジャンクション温度Ｔｊが上限値（７５℃）を超えてしまい、ＣＰＵを破損するおそれがある。また、熱媒体の流量を１．３Ｌ／min以上とすると、ＣＰＵ１，ＣＰＵ２のジャンクション温度Ｔｊが上限値に到達しなくなり、吸着式ヒートポンプ１０に供給する温水（熱媒体）の温度が目標温度に到達しない、又は到達するまでに長時間を要するようになる。
【００５５】
本実施形態では、予めＣＰＵの負荷率及び熱媒体の流量毎に、温度差ΔＴ、ジャンクション温度Ｔｊ、ジャンクション温度Ｔｊが上限値に到達するまでの時間及び電子機器から排出される熱媒体の温度を調べ、データベースとして制御部３０に記憶しておく。
【００５６】
以下、本実施形態に係る吸着式ヒートポンプの制御方法について説明する。
【００５７】
図４は、制御部３０による最適化と処理の分散を説明するフローチャートである。
【００５８】
まず、ステップＳ１１において、制御部３０は、吸着式ヒートポンプ１０に接続される複数の電子機器（この例では電子機器４１ａ，４１ｂ，４１ｃ）を仮想化する。この仮想化により、実際の電子機器（物理サーバ）の数とは関係なく、１又は複数の仮想サーバを設定することができる。
【００５９】
次に、ステップＳ１２に移行し、制御部３０は流量計４４ａ，４４ｂ，４４ｃの出力を監視しながら流量調整弁４３ａ，４３ｂ，４３ｃを制御し、各電子機器４１ａ，４１ｂ，４１ｃに流れる熱媒体の流量を一定（例えば１Ｌ／min）にする。そして、制御部３０は、温度センサ４２ａ，４２ｂ，４２ｃ及び温度センサ４５ａ，４５ｂ，４５ｃから、各電子機器４１ａ，４１ｂ，４１ｃの入口側及び出口側の熱媒体の温度を取得する。
【００６０】
次に、ステップＳ１３に移行し、制御部３０は、各電子機器４１ａ，４１ｂ，４１ｃの入口側の熱媒体の温度と出口側の熱媒体の温度との差ΔＴから、各電子機器４１ａ，４１ｂ，４１ｃの稼働率を推定する。この稼働率の推定には、前述のデータベースが使用される。例えば、熱媒体の流量が１．０Ｌ／minのときにΔＴが１．９℃であれば、その電子機器の稼働率は１００％であるとする。熱媒体の流量が１．０Ｌ／minのときにΔＴが１．９℃よりも低ければ、ΔＴの値が小さいほど電子機器の稼働率は低いということができる。熱媒体の流量が１．０Ｌ／min以外の場合も、データベースを参照して稼働率を推定することができる。
【００６１】
このようにして各電子機器４１ａ，４１ｂ，４１ｃの稼働率を推定した後、ステップＳ１４に移行し、制御部３０は最適化を行う。ここで、最適化とは、稼働率が低い複数の電子機器の処理をより少数の電子機器に統合して、消費電力の削減を図ることをいう。例えば電子機器４１ｃの稼働率が低い場合、制御部３０は電子機器４１ｃで実行していた処理を電子機器４１ａ，４１ｂで実行できるか否かを判定する。そして、実行できると判定した場合、制御部３０は電子機器４１ｃの停止を決定する。
【００６２】
次に、制御部３０は、ステップＳ１５に移行し、最適化に応じて処理を分散する。ここでは、電子機器４１ｃを停止状態とし、稼働状態の電子機器４１ａ，４１ｂに処理を分散するものとする。
【００６３】
なお、処理を分散する場合、電子機器４１ａ，４１ｂ，４１ｃが同一機種ならば負荷が均一となるように処理を分散すればよいが、機種が異なる場合は搭載されているＣＰＵの個数、性能及び発熱量に応じて処理を分散することが好ましい。この場合、例えば予め各電子機器の負荷率毎の消費電力や発熱量及びその他の機器（ポンプ等）の消費電力を前述のデータベースに付加しておくことが好ましい。制御部３０は、データベースを参照して消費電力が最も少なくなるように停止状態とする電子機器を決定したり、稼働状態の各電子機器に分担させる処理を決定したりすればよい。
【００６４】
このようにして電子機器の仮想化及び処理の分散を行った後、図５，図６に例示する処理を同時に実行する。
【００６５】
図５は、各電子機器４１ａ，４１ｂ，４１ｃから排出される熱媒体の温度に応じて各電子機器４１ａ，４１ｂ，４１ｃを通る冷却水の流量を調整する処理を説明するフローチャートである。
【００６６】
初期状態において、吸着器１３ａが切替バルブ３９ａ，３９ｂを介して電子機器冷却水流路３７に接続され、吸着器１３ｂが切替バルブ３６ａ，３６ｂを介して吸着器冷却水流路３４に接続されているものとする。
【００６７】
まず、ステップＳ２１において、制御部３０は、電子機器４１ａ，４１ｂ，４１ｃから排出される熱媒体の温度、すなわち温度センサ４５ａ，４５ｂ，４５ｃによる温度測定値を取得する。
【００６８】
その後、ステップＳ２２に移行し、制御部３０は、各電子機器４１ａ，４１ｂ，４１ｃから排出される熱媒体の温度が同じか否かを判定する。各電子機器４１ａ，４１ｂ，４１ｃから排出される熱媒体の温度が同じでない場合は、ステップＳ２１に戻って処理を続行する。
【００６９】
一方、ステップＳ２２において制御部３０が各電子機器４１ａ，４１ｂ，４１ｃから排出される熱媒体の温度が同じと判定した場合は、ステップＳ２３に移行する。ステップＳ２３において、制御部３０は、各電子機器４１ａ，４１ｂ，４１ｃから排出される熱媒体の温度が同じとなるように、流量調整弁４３ａ，４３ｂ，４３ｃの開度を調整する。
【００７０】
本実施形態では、流量調整弁４３ａ，４３ｂ，４３ｃの開度を調整する際に、制御部３０は、排出される熱媒体の温度が最も高い電子機器における熱媒体流量を基準にして流量調整弁４３ａ，４３ｂ，４３ｃの開度を決定する。
【００７１】
例えば、流量調整弁４３ａ，４３ｂ，４３ｃの開度を同じにしたときに、電子機器４１ａから排出される熱媒体の温度が他の電子機器４１ｂ，４１ｃから排出される熱媒体の温度よりも高いとする。この場合、制御部３０は、他の電子機器４１ｂ，４１ｃから排出される熱媒体の温度が電子機器４１ａから排出される熱媒体の温度と同じになるように、流量調整弁４３ｂ，４３ｃの開度を調整する。
【００７２】
このようにして各流量調整弁４３ａ，４３ｂ，４３ｃの開度を調整した後、ステップＳ２１に戻り、制御部３０は上述の処理を繰り返す。
【００７３】
図６は、吸着器１３ａ，１３ｂに供給される熱媒体（温水）の温度に応じて吸着工程と再生工程とを切替える処理を説明するフローチャートである。
【００７４】
まず、ステップＳ３１において、制御部３０は、再生工程を実施している吸着器１３ａに供給される熱媒体の温度を温度センサ４７ａから取得する。
【００７５】
次に、制御部３０は、ステップＳ３２において、各ＣＰＵのジャンクション温度、すなわち温度センサ４６ａ，４６ｂ，４６ｃによる温度測定値を取得する。
【００７６】
次に、ステップＳ３３に移行し、制御部３０は、吸着器１３ａに供給される熱媒体の温度が予め設定された目標温度に到達する時間（以下、「目標到達時間」という）を予測する。目標到達時間の予測には、前述のデータベースが使用される。
【００７７】
次に、ステップＳ３４に移行し、制御部３０は、吸着器１３ａに供給される熱媒体の温度が目標到達時間に目標温度となるように、且つ全ＣＰＵのジャンクション温度が前述の上限値を超えないように、ポンプ３８の吐出量（熱媒体の全流量）を調整する。ポンプ３８の吐出量の調整にも、前述のデータベースが参照される。
【００７８】
次に、ステップＳ３５に移行し、制御部３０は吸着器１３ａに供給される熱媒体の温度が目標温度に到達したか否かを判定する。そして、判定が否の場合はステップＳ３１に戻って処理を続行する。
【００７９】
一方、ステップＳ３５において目標温度に到達したと判定した場合は、ステップＳ３６に移行する。そして、ステップＳ３６において、制御部３０は、吸着工程と再生工程とを切替えるべく、開閉弁１６ａ，１６ｂ，１７ａ，１７ｂと切替バルブ３６ａ，３６ｂ，３９ａ，３９ｂとを駆動する。その後、ステップＳ３１に戻って、上述の処理を繰り返す。
【００８０】
なお、前述のデータベースを使用することにより、熱媒体の流量及び温度からＣＰＵのジャンクション温度や表面温度を推測することができる。このため、ＣＰＵのジャンクション温度や表面温度を直接計測することなく、各流路の熱媒体の流量及び温度を計測することで、吸着工程と再生工程とを切替えることも可能である。
【００８１】
図７は、横軸に時間をとり、縦軸に温度をとって、吸着器１３ａ，１３ｂの入口側（ＩＮ）及び出口側（ＯＵＴ）における熱媒体の温度の経時変化を表した図である。
【００８２】
吸着工程から再生工程に切り替わった瞬間には、吸着器（吸着器１３ａ又は１３ｂ）の伝熱配管１４内にチラーユニット３５から供給された低温の冷却水が残っているため、電子機器４１ａ，４１ｂ，４１ｃには比較的低温の熱媒体（冷却水）が供給される。
【００８３】
この熱媒体は、電子機器４１ａ，４１ｂ，４１ｃと吸着式ヒートポンプ１０（吸着器１３ａ又は吸着器１３ｂ）との間を循環するうちに電子機器４１ａ，４１ｂ，４１ｃ内のＣＰＵ（熱源）により温められて徐々に温度が上昇する。そして、熱媒体の温度が目標温度（この例では５５℃）になると、再生工程と吸着工程とが切り替わる。
【００８４】
図８は、本実施形態に係る吸着式ヒートポンプの制御方法の概要を表した図である。なお、ここでは説明の便宜上、電子機器冷却流路３７内に４台の電子機器４１ａ〜４１ｄが配置され、それらの電子機器４１ａ〜４１ｄの熱媒体入口側にはそれぞれ流量調整弁４３ａ〜４３ｄが配置されているものとする。
【００８５】
本実施形態では、ＣＰＵのジャンクション温度Ｔｊが上限値（この例では７５℃）以下であり、且つ電子機器４１ａ〜４１ｄの熱媒体出口側における熱媒体（温水）の温度が同じになるように、各流量調整弁４３ａ〜４１ｄの開度とポンプ３８の流量とを調整する。
【００８６】
ここでは、電子機器４１ａ〜４１ｄが同一機種であるとする。また、仮想化及び最適化が行われた結果、電子機器４１ｄが停止状態になり、電子機器４１ａ〜４１ｃにほぼ均等に処理が分散されたものとする。そして、図８のように、電子機器４１ａ〜４１ｃの電力消費量がいずれも７５Ｗ、電子機器４１ｄの電力消費量が０Ｗであるとする。また、電子機器４１ａ〜４１ｃに流れる熱媒体の流量が０．５Ｌ（リットル）／min、電子機器４１ｄに流れる熱媒体の流量が０Ｌ／minであるとする。
【００８７】
なお、本実施形態では、図８に例示するように、停止状態の電子機器（この例では電子機器４１ｄ）がある場合は、その電子機器の入口側と出口側とで熱媒体の温度が同じになるため、流量調整弁の開度は徐々に減少して最終的に閉状態となる。
【００８８】
この図８に例示するように、本実施形態では、仮想化及び最適化を実施して稼働率が低い電子機器４１ｄを停止状態とし、稼働状態の電子機器４１ａ，４１ｂ，４１ｃの発熱量がほぼ均一となるように処理を分散する。そして、各電子機器４１ａ，４１ｂ，４１ｃから排出される熱媒体の温度が均一となるように、各電子機器４１ａ，４１ｂ，４１ｃ内を通る熱媒体の流量を調整する。その結果、吸着式ヒートポンプ１０に供給される熱媒体の温度の低下を抑制できる。また、本実施形態では、各ＣＰＵのジャンクション温度が上限値を超えないようにポンプ３８の吐出量を調整するので、ＣＰＵの誤動作や故障を回避することができる。
【００８９】
図９は、電子機器４１ａ〜４１ｄに流入する熱媒体の流量が同じ場合の問題点を説明する図である。ここでは、図８の場合と同様に、吸着式ヒートポンプ１０に供給される熱媒体の温度が５５℃に到達したときに、吸着工程と再生工程とを切替えるものとする。また、電子機器４１ａの電力消費量は１５０Ｗ、電子機器４１ｂの電力消費量は１００Ｗ、電子機器４１ｃの電力消費量は５０Ｗ、電子機器４１ｄの電力消費量は０Ｗとする。
【００９０】
この図９に例示するように、各電子機器４１ａ〜４１ｄに流入する熱媒体の流量が同じ場合、各電子機器４１ａ〜４１ｄから排出される熱媒体の温度は電子機器４１ａ〜４１ｄの稼動状態に依存する。この場合、吸着式ヒートポンプ１０に供給される熱媒体の温度が５５℃になるまで吸着工程と再生工程との切替えを行わないとすると、ＣＰＵ負荷率が高い電子機器（図９の例では電子機器４１ａ）ではＣＰＵのジャンクション温度が上限値（７５℃）を超えてしまうことがある。
【００９１】
図１０は、ＣＰＵのジャンクション温度が上限値に到達したときに吸着工程と再生工程とを切替える場合の問題点を説明する図である。ここでも、電子機器４１ａの電力消費量は１５０Ｗ、電子機器４１ｂの電力消費量は１００Ｗ、電子機器４１ｃの電力消費量は５０Ｗ、電子機器４１ｄの電力消費量は０Ｗとする。
【００９２】
この図１０の例では、各電子機器４１ａ〜４１ｄに流入する熱媒体の流量が同じ（１．０Ｌ／min）であり、複数のＣＰＵのうちの少なくとも１つがジャンクション温度の上限値（７５℃）に到達したときに、吸着工程と再生工程を切替えている。この場合、吸着式ヒートポンプ１０に供給する熱媒体の温度が十分上昇しないうちに吸着工程と再生工程とが切り替わることがある。
【００９３】
例えば図１０の例では電子機器４１ａのＣＰＵのジャンクション温度Ｔｊが７５℃に到達したときの吸着式ヒートポンプ１０に供給される熱媒体の温度は５３．９℃である。この温度では、吸着器１３ａ，１３ｂ内の吸着剤を十分に再生（乾燥）できないことがある。
【００９４】
（実験例）
以下、実施形態に係る吸着式ヒートポンプの制御方法の効果を実験により確認した結果について説明する。
【００９５】
図１１は、実験に用いた装置の概要を説明する図である。この図１１において、図２と同一物には同一符号を付している。蒸発器冷却水流路２１には、図２に例示した冷却水貯留タンク３１及びポンプ３２に替えて、チラーユニット５１を配置している。チラーユニット５１の設定温度ＴLは１８℃、チラーユニット３３，３５の設定温度ＴMは２５℃とした。
【００９６】
また、実験では、電子機器として、３台のサーバ（富士通株式会社製RX300 S6）５３ａ，５３ｂ，５３ｃを使用した。各サーバ５３ａ，５３ｂ，５３ｃはそれぞれコールドプレートを装着した２基のＣＰＵ５５を搭載しており、熱媒体はそれらのコールドプレートを順番に通ってサーバ５３ａ，５３ｂ，５３ｃの外に排出される。ＣＰＵ５５に装着したコールドプレートの熱媒体入口側及び出口側には、それぞれ熱媒体の温度を測定する温度センサ６１を配置した。また、ＣＰＵ５５とコールドプレートとの間には、ＣＰＵ５５の表面温度を測定する温度センサ６２を配置した。
【００９７】
実験に使用した吸着式ヒートポンプ１０のサイズは４５０ｍｍ×２００ｍｍ×５００ｍｍであり、その内部は１／１００気圧程度に減圧されている。
【００９８】
吸着式ヒートポンプ１０の蒸発器１１、凝縮器１２及び吸着器１３ａ，１３ｂ内には、サイズが１２０ｍｍ×２４０ｍｍ×３０ｍｍの熱交換器を配置した。それらの熱交換器内の配管（冷却水配管又は伝熱配管）にはフィンが１ｍｍのピッチで設けられている。吸着器１３ａ，１３ｂの熱交換器には、吸着剤として粒径が４００μｍの活性炭（株式会社クレハ製）が充填されている。また、吸着式ヒートポンプ１０内には、冷媒として４００ｇの水が充填されている。
【００９９】
このような装置を使用し、サーバ５３ａのＣＰＵ５５の負荷率をいずれも１００％、サーバ５３ｂのＣＰＵ５５の負荷率をいずれも７５％、サーバ５３ｃのＣＰＵ５５の負荷率をいずれも２５％とした。そして、各サーバ５３ａ，５３ｂ，５３ｃの入口側と出口側の熱媒体の温度差ΔＴが１．９℃になるように、各サーバ５３ａ，５３ｂ，５３ｃに流れる熱媒体の流量を流量調整弁４３ａ，４３ｂ，４３ｃにより調整した。
【０１００】
その後、サーバ５３ｃで行っていた処理をサーバ５３ｂに移行し、サーバ５３ｃの稼働を停止した。その結果、サーバ５３ａ，５３ｂの負荷が同じになり、これらのサーバ５３ａ，５３ｂに流れる熱媒体の流量を同じにすることができた。また、ＣＰＵ５５のジャンクション温度は７５℃を超えることがなく、吸着式ヒートポンプ１０から連続的に冷熱を取り出すことができた。
【０１０１】
以上の諸実施形態に関し、更に以下の付記を開示する。
【０１０２】
（付記１）複数の電子機器から排出される熱媒体を合流させて吸着式ヒートポンプに供給する吸着式ヒートポンプの制御方法であって、
制御部により、前記複数の電子機器を仮想化して稼動状態にする電子機器と停止状態にする電子機器とを決定する工程と、
前記制御部により、前記複数の電子機器から排出される前記熱媒体の温度が同じになるように、前記複数の電子機器に供給される前記熱媒体の流量を個別に調整する工程と
を有することを特徴とする吸着式ヒートポンプの制御方法。
【０１０３】
（付記２）前記制御部は、前記複数の電子機器の各々の熱媒体入口側及び出口側の熱媒体温度の差から前記複数の電子機器の稼動率を個別に把握し、その結果に応じて前記稼動状態にする電子機器と前記停止状態にする電子機器とを決定することを特徴とする付記１に記載の吸着式ヒートポンプの制御方法。
【０１０４】
（付記３）前記制御部は、前記稼働状態にする複数の電子機器に対し負荷が均一となるように処理を分散することを特徴とすることを特徴とする付記１又は２に記載の吸着式ヒートポンプの制御方法。
【０１０５】
（付記４）前記吸着式ヒートポンプは、液体の冷媒を気体に替える蒸発器と、前記気体の冷媒を吸着する吸着剤が配置された第１の吸着器及び第２の吸着器とを有し、
前記制御部は、前記吸着式ヒートポンプに供給される前記熱媒体の温度が予め設定された目標温度になるたびに切替バルブを制御して、前記熱媒体を前記第１の吸着器及び前記第２の吸着器に交互に通流させることを特徴とする付記１乃至３のいずれか１項に記載の吸着式ヒートポンプの制御方法。
【０１０６】
（付記５）前記制御部は、前記複数の電子機器の各々に搭載された半導体部品のジャンクション温度又は表面温度が予め設定された上限値を超えないように、前記複数の電子機器に供給される前記熱媒体の総流量を制御することを特徴とする付記４に記載の吸着式ヒートポンプの制御方法。
【０１０７】
（付記６）前記制御部は、前記吸着式ヒートポンプに供給される前記熱媒体の温度が前記目標温度に到達するときに前記半導体部品のジャンクション温度又は表面温度が前記上限値に到達するように、前記複数の電子機器に供給される前記熱媒体の総流量を制御することを特徴とする付記５に記載の吸着式ヒートポンプの制御方法。
【０１０８】
（付記７）熱媒体を移送する移送ポンプと、
前記移送ポンプから移送された前記熱媒体の流路を分岐する分岐部と、
前記分岐部で分岐された流路が合流する合流部と、
前記分岐部と前記合流部との間にそれぞれ配置されて前記熱媒体が通流する熱媒体流路を備えた複数の電子機器と、
前記合流部で合流した熱媒体が供給される吸着式ヒートポンプと、
前記複数の電子機器に供給される前記熱媒体の流量を個別に調整可能な流量調整部と、
前記複数の電子機器から排出される前記熱媒体の温度を個別に検出する温度センサと、
前記複数の電子機器を仮想化して稼動状態にする電子機器と停止状態にする電子機器とを決定し、前記稼働状態にする電子機器に処理を分配するとともに、前記温度センサから信号を入力し、前記複数の電子機器から排出される前記熱媒体の温度が同じになるように前記流量調整部を制御する制御部と
を有することを特徴とする情報処理システム。
【０１０９】
（付記８）前記制御部は、前記複数の電子機器の各々の熱媒体入口側及び出口側の熱媒体温度の差から前記複数の電子機器の稼動率を個別に把握し、その結果に応じて前記稼動状態にする電子機器と前記停止状態にする電子機器とを決定することを特徴とする付記７に記載の情報処理システム。
【０１１０】
（付記９）前記制御部は、前記稼働状態にする複数の電子機器に対し負荷が均一となるように処理を分散することを特徴とすることを特徴とする付記７又は８に記載の情報処理システム。
【０１１１】
（付記１０）熱媒体を移送する移送ポンプと、
前記移送ポンプから移送された前記熱媒体の流路を分岐する分岐部と、
前記分岐部で分岐された流路が合流する合流部と、
前記分岐部と前記合流部との間にそれぞれ配置されて前記熱媒体が通流する熱媒体流路を備えた複数の電子機器と、
前記合流部で合流した熱媒体が供給される吸着式ヒートポンプと、
前記複数の電子機器に供給される前記熱媒体の流量を個別に調整可能な流量調整部と、
前記複数の電子機器から排出される前記熱媒体の温度を個別に検出する温度センサとを有する情報処理システムの制御装置であって、
前記複数の電子機器を仮想化して稼動状態にする電子機器と停止状態にする電子機器とを決定し、前記稼働状態にする電子機器に処理を分配するとともに、前記温度センサから信号を入力し、前記複数の電子機器から排出される前記熱媒体の温度が同じになるように前記流量調整部を制御することを特徴とする制御装置。
【符号の説明】
【０１１２】
１０…吸着式ヒートポンプ、１１…蒸発器、１１ａ…冷却水コイル配管、１２…凝縮器、１２ａ…冷却水コイル配管、１３ａ，１３ｂ…吸着器、１４…伝熱配管、１５…吸着剤、１６ａ，１６ｂ，１７ａ，１７ｂ…開閉弁、２１…蒸発器冷却水流路、２２…凝縮器冷却水流路、３０…制御部、３１…冷却水貯留タンク、３２…ポンプ、３３…チラーユニット、３４…吸着器冷却水流路、３５…チラーユニット、３６ａ，３６ｂ…切替バルブ、３７…電子機器冷却水流路、３８…ポンプ、３９ａ，３９ｂ…切替バルブ、４０ａ…分岐部、４０ｂ…合流部、４１ａ〜４１ｄ…電子機器、４２ａ〜４２ｃ…温度センサ、４３ａ〜４３ｄ…流量調整弁、４４ａ〜４４ｃ…流量計、４５ａ〜４５ｃ，４６ａ〜４６ｃ，４７ａ，４７ｂ…温度センサ、５１…チラーユニット。
【図１】
0005724753.tif 000002
【図２】
0005724753.tif 000003
【図３】
0005724753.tif 000004
【図４】
0005724753.tif 000005
【図５】
0005724753.tif 000006
【図６】
0005724753.tif 000007
【図７】
0005724753.tif 000008
【図８】
0005724753.tif 000009
【図９】
0005724753.tif 000010
【図１０】
0005724753.tif 000011
【図１１】
0005724753.tif 000012